(57)【要約】【課題】撮影装置の取扱いについてのガイダンス情報を出力する撮影装置において、撮影装置の機能や操作方法についての具体的かつ正確な理解を可能にし、操作性を向上させる。【解決手段】記憶手段２にサンプル写真を含むガイダンス情報を記憶させておく。サンプル写真を含むガイダンス情報は、サンプル写真出力手段３によって記憶手段２から読み出され、解凍処理が行われたうえで、液晶ディスプレイ１０に出力される。これによりユーザは、撮影装置の特定の機能を使用した場合の効果を、例えば使用前と使用後のサンプル写真を比較することによって、具体的かつ正確に理解することができる。【選択図】　　　　　図２
2004126008.tif 000002
【特許請求の範囲】
【請求項１】
画像表示手段を有する撮影装置において、
前記撮影装置の取扱いの説明に使用するサンプル写真を含むガイダンス情報を格納する記憶手段と、
前記記憶手段に格納された前記ガイダンス情報を前記記憶手段から取得し、前記画像表示手段に出力させるサンプル写真出力手段とを備えたことを特徴とする撮影装置。
【請求項２】
前記画像表示手段がカラー写真の出力を可能とするものであり、
前記サンプル写真がカラー写真であることを特徴とする請求項１記載の撮影装置。
【請求項３】
前記撮影装置が音声再生手段をさらに有するものであり、
前記ガイダンス情報が音声によるガイダンス情報をさらに含むものであり、
前記サンプル写真出力手段が、前記サンプル写真によるガイダンス情報の前記画像表示手段への出力と同時に、前記音声によるガイダンス情報を前記音声再生手段に再生させるものであることを特徴とする請求項１または２記載の撮影装置。
【請求項４】
前記記憶手段に格納された前記ガイダンス情報の出力要求を行う操作手段をさらに備え、
該出力要求に応じて、前記サンプル写真出力手段が前記ガイダンス情報を前記記憶手段から取得することを特徴とする第１項から第３項のいずれか１項に記載の撮影装置
【請求項５】
前記記憶手段が前記ガイダンス情報を前記撮影装置の動作状態に対応づけて格納し、
前記撮影装置の動作状態を検出する動作状態検出手段をさらに備え、
前記サンプル写真出力手段が、該動作状態検出手段により検出された動作状態に対応する前記ガイダンス情報を、前記記憶手段から取得するものであることを特徴とする第１項から第４項のいずれか１項に記載の撮影装置
【発明の詳細な説明】
【０００１】
【発明の属する技術分野】
本発明は、デジタルスチルカメラ等の撮影装置に関し、より詳細には、撮影装置の取扱いについてのサンプル写真を含むガイダンス情報を出力する撮影装置に関するものである。
【０００２】
【従来の技術】
デジタルスチルカメラ等の撮影装置の高性能化が進む中で、その取扱い方法が複雑化している。そのため、特にカメラの操作に熟練していないユーザの場合、全ての取扱いを正確に理解した上でカメラを使用することは非常に困難であり、結果的に、本来有用であるはずの機能が使用されないままになっていることがある。
【０００３】
このような問題点に対して、着脱可能な音声ガイダンス部のキー操作によりユーザが所望する操作に関する情報を音声によって知らしめる赤外線カメラや、カメラの機能や操作説明についての情報をカメラ本体に有し、ユーザの操作によって所望の情報を音声や文字、図形によって知らしめるカメラが知られている（例えば、前者は特許文献１、後者は特許文献２、３）。
【０００４】
これらは、携帯性の高いカメラにおいて、紙媒体による取扱説明書を携行する煩わしさからユーザを解放し、カメラの操作性を向上させようとするものである。
【０００５】
【特許文献１】
特開平１０−３１３４２０号公報
【０００６】
【特許文献２】
特開平１１−２１７４３７号公報
【０００７】
【特許文献３】
特開２００１−６６６８４号公報
【０００８】
【発明が解決しようとする課題】
しかし、上述の特許文献１または２、３に記載されたカメラでは、音声や文字、図形によってのみの操作説明がなされるため、その説明に基づいて操作を行った場合にどのような効果が得られるかについてユーザの具体的かつ正確な理解に十分に資するとはいえない点が問題となる。この点につき、従来の紙媒体による取扱説明書にはサンプル写真も掲載されており、上述の特許文献１または２、３記載のカメラと比較して、ユーザがカメラの取扱い方法を理解するのに資するといえる。
【０００９】
ただし、紙媒体による取扱説明書においてもサンプル写真は通常白黒印刷されており、例えばカメラの赤目軽減ストロボ機能のように、色彩によってその効果を直接的に理解できる機能では、紙媒体の取扱説明書をもってしても、ユーザによる具体的かつ正確な機能の理解に資さない。
【００１０】
一方、デジタルスチルカメラ等の撮影装置は液晶ディスプレイ等の画像表示手段を有しており、かつ記録媒体からの写真画像の再生が可能である。さらに、ディスプレイはカラー表示が可能であることが一般的であり、この場合にはカラー写真画像の再生が可能である。また、記録媒体の高密度・大容量化により、機能や操作に関するガイダンス情報をサンプル写真付きで格納することが可能になってきている。
【００１１】
本発明は、上記事情に鑑みてなされたものであり、デジタルカメラ等の撮影装置の取扱いについてガイダンス情報を出力する撮影装置において、ユーザによる撮影装置の取扱い方法の具体的かつ正確な理解を容易にし、ユーザの操作性を向上させる撮影装置を提供することを目的とするものである。
【００１２】
【課題を解決するための手段】
本発明による撮影装置は画像表示手段を有するものであり、前記撮影装置の取扱いの説明に使用するサンプル写真を含むガイダンス情報を格納する記憶手段と、前記記憶手段に格納された前記ガイダンス情報を前記記憶手段から取得し、前記画像表示手段に出力させるサンプル写真出力手段とを備えたことを特徴とするものである。
【００１３】
ここで、「撮影装置」とは、銀塩カメラ、デジタルスチルカメラ、デジタルビデオカメラ等、画像を撮影する機能を有していればいかなるものでもよい。
【００１４】
「画像表示手段」は、液晶ディスプレイ、有機ＥＬディスプレイ、プラズマディスプレイ等、画像を表示する機能を有するものであればいかなるものでもよい。
【００１５】
また、画像表示手段は、白黒表示のものとカラー表示のものの両方が考えられ、サンプル写真についても、白黒写真とカラー写真の両方が考えられるが、実用上は、カラー表示のものにカラー写真を表示することが好ましい。
【００１６】
「撮影装置の取扱いの説明に使用するサンプル写真を含むガイダンス情報」とは、撮影装置の取扱説明書に記載されている当該撮影装置の機能や操作等に関する情報であって、サンプル写真を含むものをいう。音声、文字、図形、動画によるガイダンス情報を含んでいてもよい。
【００１７】
記憶手段は、前記サンプル写真を含むガイダンス情報が格納されていればいかなるものでもよく、具体的には、外部記録媒体でも撮影装置に内蔵されている固定メモリでもよい。
【００１８】
サンプル写真出力手段は、記憶手段に格納されているガイダンス情報を読み込み、画像表示手段に表示することができればよく、撮影装置で撮影した写真等を画像表示手段に出力する手段と同一であってもよい。
【００１９】
なお、前記ガイダンス情報が音声によるガイダンス情報を含む場合には、前記撮影装置が音声再生手段をさらに有するものであり、前記サンプル写真出力手段が、前記サンプル写真によるガイダンス情報の前記画像表示手段への出力と同時に、前記音声によるガイダンス情報を前記音声再生手段に再生させるものであることも考えられる。
【００２０】
また、前記記憶手段に格納された前記ガイダンス情報の出力要求を行う操作手段をさらに備え、該出力要求に応じて、前記サンプル写真出力手段が前記ガイダンス情報を前記記憶手段から取得するものであることも考えられる。
【００２１】
さらに、前記記憶手段が前記ガイダンス情報を前記撮影装置の動作状態に対応づけて格納し、前記撮影装置の動作状態を検出する動作状態検出手段をさらに備え、前記サンプル写真出力手段が、該動作状態検出手段により検出された動作状態に対応する前記ガイダンス情報を、前記記憶手段から取得することも考えられる。
【００２２】
ここで、「撮影装置の動作状態」とは、当該撮影装置の設定情報と被写体情報のうち少なくともいずれか一方を含むものである。「撮影装置の設定情報」とは、具体的には、動作モード、撮影モード、カメラ状態、記録媒体状態等のような予め撮影装置に設定されている情報をいい、「被写体情報」とは、明るさ、被写体までの距離、逆光の有無、ファインダ内の人物の有無等のような当該撮影装置が捉えた被写体に関する外部の情報をいう。
【００２３】
「撮影装置の動作状態に対応づけて格納する」とは、撮影装置の動作状態毎に、その動作状態に対応するガイダンス情報の特定が可能になるように格納することをいう。
【００２４】
なお、動作状態検出手段は、常時、動作状態の検出を行うことが考えられる。ここで「常時、動作状態の検出を行う」とは、ユーザによるガイダンス情報出力要求の有無にかかわらずの意味であり、具体的には、動作状態検出手段が一定の時間間隔で動作状態をカメラのスイッチ等の操作部材や測光部等に問い合わせてもよいし、操作部材等の設定状態等の変化に応じて、変化後の設定状態が操作部材等から動作状態検出手段に送出されてもよい。
【００２５】
また、動作状態検出手段は、ユーザからのガイダンス情報の出力要求に応じて動作状態の検出を行うものとしてもよい。この場合はその出力要求を行う操作手段をさらに備える必要がある。なお、「ユーザからのガイダンス情報の出力要求に応じて動作状態の検出を行う」とは、ユーザからのガイダンス情報の出力要求を受け付けた場合に、動作状態検出手段が撮影装置の動作状態をカメラのスイッチ等の操作部材等に問い合わせてもよいし、または、操作部材等の設定状態等の変化があった時に変化後の設定状態等が操作部材等から動作状態検出手段に送出されるようにしておき、ユーザからのガイダンス情報の出力要求を受け付けた場合に、動作状態検出手段が保持している動作状態に応じて、サンプル写真出力手段が対応するガイダンス情報を記憶手段から取得するようにしてもよい。
【００２６】
【発明の効果】
本発明の撮影装置によれば、撮影装置の取扱いの説明に使用するサンプル写真を含むガイダンス情報を画像表示手段に表示することができるので、撮影装置の特定の機能を使用した場合の効果を、ユーザが具体的かつ正確に理解することができる。
【００２７】
なお、カラーの画像表示手段にカラーのサンプル写真が表示されることによって、撮影装置の取扱いをより明確に理解することができる。撮影装置の取扱説明書は通常白黒印刷によるもので、サンプル写真は白黒写真であるが、実際に撮影する写真等の画像はカラーであるので、カラーの画像表示手段にサンプル写真をカラーで表示することにより、極めて実用に適したサンプル写真をユーザに見せることができ、実用上の価値はきわめて大きい。特に、赤目軽減ストロボ機能のように、色彩によってその効果を直接的に理解できる機能の理解をするのに非常に効果的である。
【００２８】
サンプル写真によるガイダンスの画面表示と同時に音声によるガイダンスを再生する場合には、画面に表示された細かい文字を見ることなく、サンプル写真を見ながら音声によるガイダンスを受けることが可能になり、特にシルバー層等のユーザにおいて効果的である。
【００２９】
また、前記記憶手段に格納された前記ガイダンス情報の出力要求を行う操作手段をさらに備え、該出力要求に応じて、前記サンプル写真出力手段が前記ガイダンス情報を前記記憶手段から取得できるようにした場合は、ユーザが必要とする場合にのみ当該ガイダンス情報を得ることができるようになり、操作性がいっそう向上する。
【００３０】
前記記憶手段が前記ガイダンス情報を前記撮影装置の動作状態に対応づけて格納し、前記撮影装置の動作状態を検出する動作状態検出手段をさらに備え、前記サンプル写真出力手段が、該動作状態検出手段により検出された動作状態に対応する前記ガイダンス情報を、前記記憶手段から取得することができるようにした場合は、撮影装置自体が自らの動作状態を判断し、当該動作状態に応じたサンプル写真を含むガイダンス情報を、随時またはユーザが必要とする時に、ユーザに提示することができるので、ユーザは煩雑な操作を行うことなく知りたい情報を効率的に得ることが可能になり、撮影装置の操作性がいっそう向上する。
【００３１】
【発明の実施の形態】
以下、図面を参照して、本発明の撮影装置の実施形態について説明する。
【００３２】
図１は、本発明の撮影装置の第１の実施形態となるデジタルスチルカメラＡの構成を示すブロック図である。なお、デジタルスチルカメラは、レンズ、ファインダ、シャッター、電源部等の部材を通常有するが、本発明の特徴と直接関係しないものについては図示していない。
【００３３】
サンプル写真によるガイダンス情報は、記憶手段２のカメラ内固定メモリ４または外部記録媒体６に圧縮ファイル形式で格納されている。サンプル写真出力手段３のガイダンス情報制御部７は、カメラ内固定メモリ４または外部記録媒体６に対してサンプル写真によるガイダンス情報のファイルの読み出し命令を行う。なお、外部記録媒体６へのアクセスは記録媒体インターフェース５を通して行われる。読み出されたガイダンス情報は、サンプル写真出力手段３の画像圧縮解凍部８によって解凍処理され、その内容がフレームメモリ９に保持される。そして、フレームメモリ９に保持された情報が液晶ディスプレイ１０に表示される。
【００３４】
なお、液晶ディスプレイ１０がカラー表示可能で、記憶手段２がカラー写真によるガイダンス情報を格納している場合には、サンプル写真によるガイダンス情報はカラー表示される。
【００３５】
表示されるサンプル写真によるガイダンス情報の例として、図３のサンプル写真画面２４が挙げられる。図に示したように、ここでは赤目軽減ストロボ機能を使用せずに撮影した場合と使用して撮影した場合のそれぞれのサンプル写真が対比可能な状態で表示されている。なお、サンプル写真の表示は１枚ずつ別の画面で表示してもよい。
【００３６】
このように本発明の撮影装置の第１の実施形態となるデジタルスチルカメラＡによれば、デジタルスチルカメラの特定の機能を使用した場合の効果を、液晶ディスプレイに表示されたサンプル写真によってユーザが具体的かつ正確に理解することができる。
【００３７】
なお、カラー液晶ディスプレイにカラーサンプル写真が表示されることによって、当該デジタルスチルカメラの取扱いをより明確に理解することができる。ここで例示した赤目軽減ストロボ機能のように、色彩によってその効果を直接的に理解できる機能の理解をするのにより効果的である。
【００３８】
図２は、本発明の撮影装置の第２の実施形態となるデジタルスチルカメラＢの構成を示すブロック図である。デジタルスチルカメラＢは、ユーザのガイダンス情報出力要求に応じて、サンプル写真及び音声によるガイダンス情報の出力を可能にしたものであり、図１の構成に、ガイダンス情報の出力要求を行う操作手段１１と、圧縮形式で格納された音声ガイダンス情報を解凍する音声圧縮解凍部１５、解凍された音声ガイダンス情報を保持する音声メモリ１６、音声ガイダンスの出力を行うスピーカ１７を付加した構成となっている。なお、デジタルスチルカメラは、レンズ、ファインダ、シャッター、電源部等の部材を通常有するが、本発明の特徴と直接関係しないものについては図示していない。
【００３９】
操作手段１１としては、具体的には、押しボタン、レバー、電子ダイヤル、スライドスイッチ等が考えられる。また、記憶手段２において、デジタルスチルカメラの取扱い方法についてのガイダンス情報が項目毎に階層的に格納されており、この中にサンプル写真及び音声を用いたガイダンス情報が含まれている。従って、１つのガイダンス情報の項目に複数の情報が対応づけられていることもある。例えば、「スローシンクロ」というガイダンス情報の項目に対応する詳細な情報として、スローシンクロ機能を使用して撮影したサンプル写真とスローシンクロ機能についての音声による説明がある場合である。
【００４０】
図３は、デジタルスチルカメラＢにおいて表示されるガイダンス情報の画面遷移の例を示したものである。以下では、デジタルスチルカメラＢの各構成要素の処理との関係において、図３の画面遷移及びそれと同時に出力される音声によるガイダンスについて説明する。
【００４１】
ユーザが前記操作手段の操作を行うことによって、ガイダンス情報の出力要求がなされる。ガイダンス情報制御部７は当該出力要求を受け付けると、記憶手段２に対して、メインメニュー画面の情報の読み出し命令を出す。読み出された情報はフレームメモリ９に展開され、液晶ディスプレイ１０に表示される（図３のメイン画面２０）。
【００４２】
次にユーザがメイン画面２０から「２．撮影編」を前記操作手段によって選択すると、ガイダンス情報制御部７は記憶手段２に対して撮影編画面の情報の読み出し命令を出す。読み出された当該情報はフレームメモリ９に展開され、液晶ディスプレイ１０に表示される（図３の撮影編画面２１）。
【００４３】
同様にして、ユーザが撮影編画面２１で「３．ストロボ撮影」を選択すると、ストロボ撮影画面２２が表示され、次に「２．赤目軽減ストロボ」を選択すると、赤目軽減ストロボ画面２３が表示される。
【００４４】
また、記憶手段２の「赤目軽減ストロボ」の項目に、赤目軽減ストロボ画面２３によるガイダンスだけでなく、音声によるガイダンス情報も対応づけられていれば、赤目軽減ストロボについての音声によるガイダンス情報も読み出され、音声圧縮解凍部１５で解凍されて音声メモリ１６に展開され、赤目軽減ストロボ画面２３の表示と同時に「赤目軽減ストロボ機能は暗いところでひとみを自然に撮りたいときに使用します。撮影前にストロボがプレ発光し、次に撮影のためのストロボが発光します。」という音声ガイダンスがスピーカ１７から再生される。なお、サンプル写真の表示と音声ガイダンスの再生を同時に行う方法としては、例えば、サンプル写真によるガイダンス情報のフレームメモリ９への展開の完了を示すフラグと、音声によるガイダンス情報の音声メモリ１６への展開の完了を示すフラグを使用して、両フラグがＯＮになった後に、サンプル写真によるガイダンス情報の液晶ディスプレイ１０への表示と、音声によるガイダンス情報のスピーカ１７からの再生を開始させるように制御する方法がある。
【００４５】
ここで、ユーザが前記操作手段によって「サンプル写真表示」を選択すると、ガイダンス情報制御部７は記憶手段２に対して赤目軽減ストロボのサンプル写真情報の読み出し命令を出す。読み出された当該情報は画像圧縮解凍部８によって解凍処理され、フレームメモリ９に展開され、液晶ディスプレイ１０に表示される（図３のサンプル写真画面２４）。なお、サンプル写真の表示は１枚ずつ別の画面で表示してもよい。また、記憶手段２の「赤目軽減ストロボのサンプル写真」の項目にサンプル写真の内容を説明する音声ガイダンス情報も対応づけて格納しておけば、サンプル写真の表示と同時に「赤目軽減ストロボを使用せずに撮影すると、画面左のサンプル写真のように人物の黒目部分が赤くなりますが、赤目軽減ストロボを使用して撮影すると、画面右のサンプル写真のように人物の黒目部分の赤みが軽減され、より自然な写真を撮影できます。」というような音声ガイダンスの再生も可能になる。
【００４６】
このように本発明の撮影装置の第２の実施形態となるデジタルスチルカメラＢによれば、ユーザが必要に応じてサンプル写真によるガイダンス情報を取得し、デジタルスチルカメラの特定の機能を使用した場合の効果を、液晶ディスプレイに表示されたサンプル写真によって具体的かつ正確に理解することができるようになる。
【００４７】
なお、カラー液晶ディスプレイにカラーサンプル写真が表示されることによって、当該デジタルスチルカメラの取扱いをより明確に理解することができる。ここで例示した赤目軽減ストロボ機能のように、色彩によってその効果を直接的に理解できる機能の理解をするのにより効果的である。
【００４８】
さらに、画面表示と同時に音声によるガイダンスを出力することにより、画面に表示された細かい文字を見ることなく、音声によるガイダンスを受けることが可能になり、特にシルバー層等のユーザにおいて効果的である。
【００４９】
図４は、本発明の撮影装置の第３の実施形態となるデジタルスチルカメラＣの構成を示すブロック図である。デジタルスチルカメラＣは、デジタルスチルカメラ自体が自らの動作状態を判断し、当該動作状態に応じたサンプル写真によるガイダンス情報を、ユーザが必要とした場合に提示する機能を有している。なお、デジタルスチルカメラは、レンズ、ファインダ、シャッター、電源部等の部材を通常有するが、本発明の特徴と直接関係しないものについては図示していない。以下、図１との相違点について説明する。
【００５０】
デジタルスチルカメラＡと同様、サンプル写真によるガイダンス情報は、記憶手段２のカメラ内固定メモリ４または外部記録媒体６に圧縮ファイル形式で格納されているが、デジタルスチルカメラＣでは、文字によるガイダンス情報も記憶手段２のカメラ内固定メモリ４または外部記録媒体６に格納されている。これらの情報は被写体情報と設定情報とを組み合わせた概念である動作状態毎に識別可能な構成で格納されている。ここで、被写体情報とは、明るさ・被写体までの距離・逆光の有無・ファインダ内の人物の有無等のような当該デジタルスチルカメラが捉えた被写体に関する外部の情報をいい、設定情報とは、動作モード（カメラ・再生・キャプチャ）・撮影モード（セットアップ・オート・マニュアル・スポーツ・風景・連写・ポートレート・夜景・ムービー）・カメラ状態・記録媒体状態等のような予めデジタルスチルカメラに設定されている情報をいう。例えば、被写体情報が「暗所・人物撮影」で、設定情報が「ストロボＯＮ設定」の場合、これら２つの情報を組み合わせた概念である動作状態に対して、「赤目軽減ストロボ」についてのガイダンス情報が対応づけられて格納されている。
【００５１】
動作状態検出手段１２は被写体情報検出部１３と設定情報検出部１４から構成されている。被写体情報は、測光部（図示なし）や測距部（図示なし）、画像処理部（図示なし）から、状態の変化があった時に被写体情報検出部１３に送出されることにより検出される。一方、カメラの設定情報は、各種操作スイッチ（図示なし）から、状態に変化があった時に設定情報検出部１４に送出されることによって検出される。このように動作状態に変化があった場合には、変化後の状態の情報が被写体情報検出部１３または設定情報検出部１４からガイダンス情報制御部７に送出される。例えば、被写体から人物を検出する方法としては、被写体の形状より判断する方法や、人物特有の肌色の成分を検出して判断する方法（特開昭５２−２２９３７等）が知られており、これにより被写体に人物が含まれていることを検出することができる。また、露出情報から被写体の明るさを判断し、被写体が暗いためにフラッシュが必要であるということを検出することができる。さらにカメラの操作スイッチの状態から「ストロボＯＮ設定」になっていることを検出することができる。従って、検出されたこれら３つの情報を総合することにより、赤目現象が生じうると判断することができるため、ユーザにそのことを知らせ、さらに、それに対処する方法についてのガイダンスを出力するようにすることができる。なお、動作状態の検出は、動作状態検出手段１２が一定の時間間隔で測光部（図示なし）や各種操作スイッチ（図示なし）等に状態の問い合わせを行うものとしてもよい。また、被写体情報検出部１３と設定情報検出部１４はいずれか一方だけでもよく、この場合は、ガイダンス情報は被写体情報と設定情報の当該一方の情報に対応して格納されることになる。
【００５２】
また、ユーザは操作手段１１によってガイダンス情報の出力要求を行う。
【００５３】
図５は、デジタルスチルカメラＣのガイダンス処理を示すフローチャートである。動作状態検出手段１２で動作状態の変化が検出された場合には、変更後の動作状態の情報がガイダンス情報制御部７に送出される（Ｓ１）。次に、ガイダンス情報制御部７は、送出された動作状態に対応するガイダンス情報の読み出しを記憶手段２に対して要求する（Ｓ２）。該当するガイダンス情報が存在する場合（Ｓ３，ＹＥＳ）、現状態で表示すべきガイダンス情報が存在する旨をユーザに告知し、詳細なガイダンス情報の表示の要否についての入力が促される（Ｓ４）。ユーザが詳細なガイダンス情報を要求する旨の操作を操作手段１１によって行った場合は（Ｓ５，ＹＥＳ）、図３の赤目軽減ストロボ画面２３のような詳細なガイダンス情報が文字によりフレームメモリ９経由で液晶ディスプレイ１０に表示され、さらに、サンプル写真の表示の要否の入力が促される（Ｓ６）。ユーザがサンプル写真の表示を要求する旨の操作を操作手段１１によって行った場合は（Ｓ７，ＹＥＳ）、記憶手段２から該当するサンプル写真によるガイダンス情報が読み出され、画像圧縮解凍部８によって解凍され、フレームメモリ９経由で液晶ディスプレイ１０に表示される。例として、図３のサンプル写真画面２４が挙げられる。図に示したように、ここでは赤目軽減ストロボ機能を使用せずに撮影した場合と使用して撮影した場合のそれぞれのサンプル写真が対比可能な状態で表示されている。サンプル写真の表示は１枚ずつ別の画面で表示してもよい。
【００５４】
なお、動作状態に対応するガイダンス情報が存在しない場合は（Ｓ３，ＮＯ）、動作状態が変化したときに再度動作状態の検出（Ｓ１）及びガイダンス情報の読み込みが行われる（Ｓ２）。また、ユーザが詳細なガイダンス情報を要求しない旨の操作を操作手段１１により行った場合は（Ｓ５，ＮＯ）、サンプル写真の表示の要否の入力が促される。サンプル写真の表示を要求しない旨の操作を操作手段１１により行った場合は（Ｓ７，ＮＯ）、動作状態が変化したときに再度動作状態の検出（Ｓ１）及びガイダンス情報の読み込みが行われる（Ｓ２）。
【００５５】
このように本発明の撮影装置の第３の実施形態となるデジタルスチルカメラＣによれば、デジタルスチルカメラ自体がガイダンス情報の出力が必要と判断した場合に、ガイダンス情報の存在がユーザに随時告知され、ユーザは必要に応じてサンプル写真によるガイダンス情報を取得し、デジタルスチルカメラの特定の機能を使用した場合の効果を、液晶ディスプレイに表示されたサンプル写真によって具体的かつ正確に理解することができるようになる。
【００５６】
なお、カラー液晶ディスプレイにカラーサンプル写真が表示されることによって、当該デジタルスチルカメラの取扱いをより明確に理解することができる。ここで例示した赤目軽減ストロボ機能のように、色彩によってその効果を直接的に理解できる機能の理解をするのにより効果的である。
【００５７】
上記第１から第３の実施の形態では、サンプル写真が赤目現象を説明するものの場合について説明したが、サンプル写真としては、他に、オートストロボ、強制発光ストロボ、スローシンクロ等のストロボ撮影機能や、ポートレート（人物）、風景、夜景等の撮影モード、露出補正、ホワイトバランス、シャッタースピード設定、絞り値設定等のマニュアル撮影、オートブラケティング、多重露出撮影、近距離撮影、連写等、デジタルスチルカメラの取扱説明書に記載されているさまざまな写真が採用されうる。
【００５８】
また、上記第１から第３の実施の形態では、デジタルスチルカメラについて説明を行ったが、銀塩カメラやデジタルビデオカメラ等の撮影装置においても、液晶ディスプレイまたは有機ＥＬディスプレイ、プラズマディスプレイを有していれば、本発明の実施をすることが可能である。
【図面の簡単な説明】
【図１】本発明の第１の実施の形態によるデジタルスチルカメラＡの構成を示すブロック図。
【図２】本発明の第２の実施の形態によるデジタルスチルカメラＢの構成を示すブロック図。
【図３】本発明の第２の実施の形態によるデジタルスチルカメラＢによって出力されるガイダンス情報の例を示した図。
【図４】本発明の第３の実施の形態によるデジタルスチルカメラＣの構成を示すブロック図。
【図５】本発明の第３の実施の形態によるデジタルスチルカメラＣのガイダンス処理を示すフローチャート。
【符号の説明】
１　　デジタルスチルカメラ
２　　記憶手段
３　　サンプル写真出力手段
４　　カメラ内固定メモリ
５　　記録媒体インターフェース
６　　外部記録媒体
７　　ガイダンス情報制御部
８　　画像圧縮解凍部
９　　フレームメモリ
１０　　液晶ディスプレイ
１１　　操作手段（ガイダンス情報出力要求）
１２　　動作状態検出手段
１３　　被写体情報検出部
１４　　設定情報検出部
１５　　音声圧縮解凍部
１６　　音声メモリ
１７　　スピーカ
２０　　メイン画面
２１　　撮影編画面
２２　　ストロボ撮影画面
２３　　赤目軽減ストロボ画面
２４　　赤目軽減ストロボのサンプル写真画面
【図１】
2004126008.tif 000003
【図２】
2004126008.tif 000004
【図３】
2004126008.tif 000005
【図４】
2004126008.tif 000006
【図５】
2004126008.tif 000007